(57)【要約】      （修正有）【課題】密封袋が開放状態、閉鎖状態のいずれにあるかを判断でき、製品包装の効率及び品質の向上につながるジッパースライダーユニットおよび密封袋を提供する。【解決手段】ジッパースライダーユニットは、オスジッパーと、メスジッパーと、ジッパーを開放または閉鎖するスライダーとを含み、メスジッパーがメスジッパー本体２を含み、オスジッパーがオスジッパー本体３を含む。ジッパースライダーユニットは、メスジッパー本体およびオスジッパー本体に複数の凹み４が対称に設けられ、凹みのＡ面５とジッパーの水平線とが成す角度αが凹みのＢ面６とジッパーの水平線とが成す角度βよりも小さい。また、スライダーは側板と、開口三角ブロックと、閉止三角柱とを含む。スライダーと凹みの間の引張抵抗の大きさが開閉方向で異なることを利用して密封袋の開閉が判断され、使用状況をより良く把握できる。【選択図】図１
0003216708.tif 000002
【実用新案登録請求の範囲】
【請求項１】
オスジッパーと、メスジッパーと、ジッパーを開放または閉鎖するスライダーとを含む、開閉の引張力が異なるジッパースライダーユニットであって、前記メスジッパーがメスジッパー本体を含み、前記オスジッパーがオスジッパー本体を含み、前記メスジッパー本体および前記オスジッパー本体において複数の凹みが対称に設けられ、前記凹みのＡ面と前記ジッパーの水平線とが成す角度αが前記凹みのＢ面と前記ジッパーの水平線とが成す角度βよりも小さいことと、前記スライダーが側板と、開口三角ブロックと、閉止三角柱とを含むこととを特徴とする、ジッパースライダーユニット。
【請求項２】
前記凹みが前記ジッパーの外側に設けられ、前記閉止三角柱のＣ面と前記ジッパーの水平線とが成す角度α’が前記角度αと等しく、前記閉止三角柱のＤ面と前記ジッパーの水平線とが成す角度γが前記角度βよりも大きいことを特徴とする、請求項１に記載のジッパースライダーユニット。
【請求項３】
前記凹みが前記ジッパーの内側に設けられ、前記開口三角ブロックのＥ面と前記ジッパーの水平線とが成す角度α’’が前記角度αと等しく、前記開口三角ブロックのＦ面と前記ジッパーの水平線とが成す角度γ’が前記角度βよりも大きいことを特徴とする、請求項１に記載のジッパースライダーユニット。
【請求項４】
袋体を含み、前記袋体の開口部に請求項１から３のいずれか一項に記載のジッパースライダーユニットが設けられていることを特徴とする、開閉の引張力が異なる密封袋。
【考案の詳細な説明】
【技術分野】
【０００１】
本考案は、ジッパースライダーユニットに関し、特に、開閉の引張力が異なるジッパースライダーユニットおよび密封袋に関する。
【背景技術】
【０００２】
現在、密封袋の分野においては、圧力を提供することでジッパーのオスジッパーとメスジッパーを開放又は閉鎖するのが普通であるが、従来の密封袋では、開放と閉鎖に用いる力が同じであるため、スライダーの移動方向がジッパーの開放方向、閉鎖方向のいずれにあるかが判別できなかった。特に工業的に自動生産される包装の分野では、開放と閉鎖に用いる力が同じである場合、自動化設備には密封袋が開放状態、閉鎖状態のいずれにあるかを判断することができず、包装過程にトラブルが生じていた。
【考案の概要】
【０００３】
本考案は、上記の従来技術に存在する不足に対処するよう、開放時と閉鎖時の引張力が異なるジッパースライダーユニットおよび密封袋を提供する。
【０００４】
本考案が上記の技術的課題を解決する技術案は、次の通りである。開閉の引張力が異なるジッパースライダーユニットは、オスジッパーと、メスジッパーと、ジッパーを開放または閉鎖するスライダーとを含み、前記メスジッパーがメスジッパー本体を含み、前記オスジッパーがオスジッパー本体を含む。当該ジッパースライダーユニットは、前記メスジッパー本体および前記オスジッパー本体において複数の凹みが対称に設けられ、前記凹みのＡ面と前記ジッパーの水平線とが成す角度αが前記凹みのＢ面と前記ジッパーの水平線とが成す角度βよりも小さいことと、前記スライダーが側板と、開口三角ブロックと、閉止三角柱とを含むこととを特徴とする。
【０００５】
開閉の引張力が異なる密封袋は、袋体を含み、前記袋体の開口部には、上述のジッパースライダーユニットが設けられる。
【０００６】
本考案の有益な効果は、本考案では、ジッパーの外側または内側に凹みが設けられ、スライダー内における開口三角ブロックまたは閉止三角柱と凹みとの間の抵抗の大きさを利用し、それにより使用過程における人の力に影響を与えることで、スライダーの移動方向が密封袋を開くか閉じるかのいずれであるかが判断され、密封袋の使用状況をより良く把握できることである。この種の密封袋を工業的に自動生産される包装に応用すれば、自動化設備は、それが用いる力加減によって密封袋が開放状態、閉鎖状態のいずれにあるかを判断でき、製品包装の効率及び品質の向上につながる。
【０００７】
上記の技術案を基に、本考案に次のような改良を行っても良い。
【０００８】
さらに、前記凹みを前記ジッパーの外側に設け、前記閉止三角柱のＣ面と前記ジッパーの水平線とが成す角度α’を前記角度αと等しくし、前記閉止三角柱のＤ面と前記ジッパーの水平線とが成す角度γを前記角度βよりも大きくする。
【０００９】
この改良された案を採用することの有益な効果は、ジッパーを開く際に、角度α’と角度αが等しいことが、閉止三角柱と凹みとの間の抵抗を小さくして、ジッパーを開きやすくし、用いる力を小さくすることと、ジッパーを閉める際に、角度γが角度βよりも大きいことで、閉止三角柱と凹みとの間の抵抗が大きくなり、ジッパーを閉めるのにより大きな作用が必要になることである。
【００１０】
さらに、前記凹みを前記ジッパーの内側に設け、前記開口三角ブロックのＥ面と前記ジッパーの水平線とが成す角度α’’を前記角度αと等しくし、前記開口三角ブロックのＦ面と前記ジッパーの水平線とが成す角度γ’を前記角度βよりも大きくする。
【００１１】
上述の改良された案を採用することの有益な効果は、ジッパーを開く際に、角度α’’と角度αが等しいことが、開口三角ブロックと凹みとの間の抵抗を小さくして、ジッパーを開きやすくし、用いる力を小さくすることと、ジッパーを閉める際には、角度γ’が角度βよりも大きいことで、開口三角ブロックと凹みとの間の抵抗が大きくなり、ジッパーを閉めるのにより大きな作用が必要になることである。
【図面の簡単な説明】
【００１２】
【図１】本考案の実施例１の構造模式図である。
【図２】本考案の実施例１の開放状態模式図である。
【図３】本考案の実施例１の閉鎖状態模式図である。
【図４】本考案の実施例２の構造模式図である。
【図５】本考案の実施例２の開放状態模式図である。
【図６】本考案の実施例２の閉鎖状態の模式図である。
【図７】本考案のスライダー構造の模式図である。
【符号の説明】
【００１３】
１  スライダー
２  メスジッパー本体
３  オスジッパー本体
４  凹み
５  Ａ面
６  Ｂ面
７  側板
８  開口三角ブロック
９  閉止三角柱
１０  Ｃ面
１１  Ｄ面
１２  Ｅ面
１３  Ｆ面
【考案を実施するための形態】
【００１４】
次に、実例と関連付けて本考案の原理及び特徴について説明する。挙げられる実例は、本考案を理解するためにのみ用いられ、本考案の範囲を限定するものではない。
【００１５】
実施例１
開閉の引張力が異なるジッパースライダーユニットは、オスジッパーと、メスジッパーと、ジッパーを開放または閉鎖するスライダー１とを含み、前記メスジッパーがメスジッパー本体２を含み、前記オスジッパーがオスジッパー本体３を含む。当該ジッパースライダーユニットは、前記メスジッパー本体２および前記オスジッパー本体３において複数の凹み４が対称に設けられ、前記凹み４のＡ面５と前記ジッパーの水平線とが成す角度αが前記凹み４のＢ面６と前記ジッパーの水平線とが成す角度βよりも小さいことと、前記スライダー１は側板７と、開口三角ブロック８と、閉止三角柱９とを含むこととを特徴とする。
【００１６】
前記凹み４を前記ジッパーの外側に設け、前記閉止三角柱９のＣ面１０と前記ジッパーの水平線とが成す角度α’を前記角度αと等しくし、前記閉止三角柱９のＤ面１１と前記ジッパーの水平線とが成す角度γを前記角度βよりも大きくする。
【００１７】
本考案は次のように使用される。ジッパーを開く際に、角度α’と角度αが等しいことが、閉止三角柱と凹みとの間の抵抗を小さくして、ジッパーを開きやすくし、用いる力を小さくする。ジッパーを閉める際には、角度γが角度βよりも大きいことで、閉止三角柱と凹みとの間の抵抗が大きくなり、ジッパーを閉めるのにより大きな作用が必要になる。
【００１８】
実施例２
開閉の引張力が異なるジッパースライダーユニットは、オスジッパーと、メスジッパーと、ジッパーを開放または閉鎖するスライダー１とを含み、前記メスジッパーがメスジッパー本体２を含み、前記オスジッパーがオスジッパー本体３を含む。当該ジッパースライダーユニットは、前記メスジッパー本体２および前記オスジッパー本体３において複数の凹み４が対称に設けられ、前記凹み４のＡ面５と前記ジッパーの水平線とが成す角度αが前記凹み４のＢ面６と前記ジッパーの水平線とが成す角度βよりも小さいことと、前記スライダー１が側板７と、開口三角ブロック８と、閉止三角柱９とを含むこととを特徴とする。
【００１９】
前記凹み４を前記ジッパーの内側に設け、前記開口三角ブロック８のＥ面１２と前記ジッパーの水平線とが成す角度α’’を前記角度αと等しくし、前記開口三角ブロック８のＦ面１３と前記ジッパーの水平線とが成す角度γ’を前記角度βよりも大きくする。
【００２０】
本考案は次のように使用される。ジッパーを開く際に、角度α’’と角度αが等しいことが、開口三角ブロックと凹みとの間の抵抗を小さくして、ジッパーを開きやすくし、用いる力を小さくする。ジッパーを閉める際には、角度γ’が角度βよりも大きいことで、開口三角ブロックと凹みの間の抵抗が大きくなり、ジッパーを閉めるのにより大きな作用が必要になる。
【００２１】
上記の記載は、本考案のより良い実施例にすぎず、本考案を限定するものではない。本考案の主旨および原則の範囲内で行ういかなる修正、均等な置換、改善などもすべて、等しく本考案の保護範囲内に含まれるべきものである。
【図１】
0003216708.tif 000003
【図２】
0003216708.tif 000004
【図３】
0003216708.tif 000005
【図４】
0003216708.tif 000006
【図５】
0003216708.tif 000007
【図６】
0003216708.tif 000008
【図７】
0003216708.tif 000009